(57)【特許請求の範囲】
【請求項１】
グリセルアルデヒド、及び
下式：
0005341409.tif 000009
にて表されるグリセルアルデヒド二量体から選ばれた少なくとも１種の消臭成分を配合してなる液状又は粉状の消臭剤。
【請求項２】
さらに、１価、２価又は３価のアルコールを配合してなる請求項１の消臭剤。
【請求項３】
さらにオキシ酸金属塩、メチルビニルエーテル無水マレイン酸金属塩、ケトカルボン酸金属塩、又はグリオキシル酸金属塩を配合してなる請求項１又は２の消臭剤。
【請求項４】
金属塩がカリウム塩、カルシウム塩、亜鉛塩、銅塩又は鉄塩である請求項３の消臭剤。
【請求項５】
さらに両性界面活性剤、カチオン界面活性剤及び／又はノニオン系界面活性剤を配合してなる請求項１〜４いずれかの消臭剤。
【請求項６】
請求項１〜５いずれかの消臭剤を配合してなる頭髪処理剤。
【請求項７】
請求項１〜５いずれかの消臭剤を配合したシャンプー又はリンスを用いて頭髪を処理する頭髪処理方法。
【発明の詳細な説明】
【技術分野】
【０００１】
本発明は広範囲の生活悪臭に対して有効な消臭作用を示す水性消臭剤に関する。さらに詳しくは、本発明は種々のカチオン系、アニオン系、その他の臭気に対応した消臭剤であり、体臭、汚物臭、室内臭など日常生活における様々な臭気を除去する。本発明の消臭剤は抗菌作用も有する。
【背景技術】
【０００２】
近年、生活環境の変化とともに身の回りの臭いに対する感覚が鋭敏になり消臭について大きな関心があつまっている。日常の生活環境から生ずる臭気は非常に多岐にわたっている。代表的な臭気としては、アンモニア、アミン類などのカチオン系物質；メルカプタン類、硫化水素、有機酸等のアニオン系物質；ホルマリン等のアルデヒド系の臭気が特に不快な臭気として挙げられる。
従来、悪臭成分を低減する方法としては強力な芳香剤により不快な臭気をマスキングする方法；活性炭、ゼオライト等の多孔質吸着剤により臭気を吸着する物理的方法；触媒燃焼法やオゾンにより臭気成分を酸化する酸化法、化学薬品を用いた中和法などの化学的方法；あるいはバクテリアによる臭気成分の分解などの生物化学的方法等が知られている。消臭剤として現在市販の種々の製品は、アミン類やメルカプタン類の臭気に対し一定の低減効果は認められるものの、依然として僅かな臭いが人の鋭敏な臭覚には感じられ満足のゆく消臭効果が得られるには至っていない。
【０００３】
また、近年、美容室などではパーマネントウェーブ処理にあたり新たなパーマ剤も用いられているが、処理後の頭髪に臭気の残存がある。たとえばシスチアミンは頭髪に対し優れたカール効果を示すが、パーマ処理後２週間程度にわたり臭気が残留し、現在の市販の消臭剤では消臭効果がみられない。
【特許文献１】特開平８−１９８７０９
【発明の開示】
【発明が解決しようとする課題】
【０００４】
本発明の目的はアミン類やメルカプタン類の臭気に対し、極めて有効な消臭効果を示す消臭剤を提供することにある。本発明者は前記課題を解決すべく種々検討を重ねた結果、グリセルアルデヒド等の化合物が前記の臭気の消臭において非常に優れた効果を発揮するとの知見を得て本発明を完成した。
【課題を解決するための手段】
【０００５】
本発明はグリセルアルデヒド、及び
下式：  
0005341409.tif 000002
にて表されるグリセルアルデヒド二量体から選ばれた少なくとも１種の消臭成分を配合してなる液状又は粉状の消臭剤を提供するものである。液状、粉状であるのが好ましい。グリセルアルデヒドヘミアセタールはグリセルアルデヒド二量体であってもよい。本発明の消臭剤には１価、２価又は３価のアルコールを配合するのが好ましい。この消臭剤には、さらに両性界面活性剤、カチオン界面活性剤及び／又はノニオン系界面活性剤を配合するのが好ましい。
【発明の効果】
【０００６】
従来、アミン類やメルカプタン類に効果的な消臭剤も存在する。しかし、悪臭成分と反応した消臭剤は常温にて蒸気圧を有し、残存する微量の臭気が人体の嗅覚には感じ取られる。本発明の消臭剤は有効成分がアンモニア、メルカプタンと速やかに反応し、かつ反応後の蒸気圧が非常に低く優れた消臭効果を示す。
また、本発明の消臭剤のｐＨは中性であり、１価、２価又は３価のアルコールと組み合わせて用いることが可能で種々の用途の消臭剤として使用できる。
【発明の詳細な記述】
【０００７】
(ａ)本発明消臭剤の有効成分は、グリセルアルデヒド及び下記より選ばれた少なくとも１種の成分である。これらはいずれも市販の製品を用いることができる。
本発明の消臭剤においてグリセルアルデヒドヘミアセタールとしては、下式：  
0005341409.tif 000003
にて表されるグリセルアルデヒド二量体が用いられる。
【０００８】
また、グリセルアルデヒドヘミアセタールは下式：
0005341409.tif 000004
(式中、Ｒは炭素数２〜６のアルキル基、アルキレン基、ＨＯ(ＣＨ２)３Ｏ−、又はＨＯ(ＣＨ２)４Ｏ−を意味する。)
にて表される化合物であってもよい。式(２)中、Ｒがアルキル基であるものとしてはエチル、プロピル、n-,iso-, sec-, ter-ブチル、アミル、ヘキシルなど炭素数２〜６のアルキル基が挙げられる。また、アルキレン基としてはエチレン、プロピレン、ブチレン、へキシレンなど炭素数２〜６のアルキレン基が挙げられる。
【０００９】
さらに、本発明の消臭剤には下式：
0005341409.tif 000005
(式中、Ｒ１及びＲ２は同一又は異なった炭素数１〜１２のアルキル基、アルキレン基又は炭素数４〜１６のポリエチレングリコール、ポリプロピレングリコール、ブチレングリコールの残基を表す。)
にて表される化合物(グリセルアルデヒドフルアセタールともいう)が配合されてよい。式(３)中、Ｒ１、Ｒ２がアルキル基であるものとしては、メチル、エチル、プロピル、n-,iso-, sec-, ter-ブチル、アミル、ヘキシルなど炭素数１〜１２のアルキル基が挙げられる。また、アルキレン基としてはエチレン、プロピレン、ブチレン、へキシレンなど炭素数１〜１２のアルキレン基が挙げられる。
【００１０】
これら消臭成分の配合量は消臭成分の濃度、消臭剤の形態に応じて適宜に変更してよいが、通常、消臭剤全量に対して０.０１〜３０重量％、好ましくは０.１〜５重量％が用いられる。配合量がこれより少ないと充分な消臭効果が得られず、一方これより多くても消臭効果の向上はみられない。これら消臭成分は単独で用いてもよく２種以上を併用してもよい。
グリセリンアルデヒドの二量体(式１)は常温で固体であり、紙、不織布、樹脂などにコーティングして使用することができる。さらにジオキシアセトンをグリセリンアルデヒド及びグリセリンアルデヒドヘミアセタールと併用すると消臭効果がより向上する。この場合の配合量(重量)は、グリセリンアルデヒド又はグリセリンヘミアセタール１に対して０.２〜１.５であり、好ましくは０.５〜１である。
【００１１】
（ｂ）アルコール
前記の消臭成分と共に配合されるアルコールとしては、エタノール、プロパノール、などの一価アルコール、エチレングリコール、プロピレングリコールなどの二価アルコール及びグリセリン等の三価アルコールを用いられてよい。特にエタノール、プロピレングリコール、グリセリンが好ましい。アルコールを配合することによって更にホルマリンの消臭が可能となると共に、前記消臭成分の水に対する溶解が向上し、悪臭の濃度に応じた消臭剤の調整が可能となる。これらアルコールの配合量は消臭剤全量に対して、７０重量％以下、好ましくは１〜３０重量％、より好ましくは５〜２０重量％である。アルコールの配合量はこれより少ないと消臭成分を充分に溶解することができず、一方これより多量に配合しても水に対する消臭成分の溶解性は変わらず品質の向上はない。また、水への良好な溶解性を得るため、アルコールは消臭成分に対し等量以上を配合するのがよい。
【００１２】
本発明の消臭剤には、さらにオキシ酸金属塩、メチルビニルエーテル無水マレイン酸金属塩、ケトカルボン酸金属塩、グリオキシル酸金属塩を配合することによって、硫化水素、メルカプタン等に対する消臭能力が向上する。また、ケトカルボン酸金属塩であるピルビン酸ナトリウムを添加することによって、ホルマリンの消臭が可能となる。オキシ酸としてはグルコン酸、グリセリン酸が好ましい。
前記金属塩の金属としては、ナトリウム、カリウム、カルシウム、銅、亜鉛、鉄が挙げられ、銅、亜鉛、ナトリウム、カルシウムが好ましい。これら金属塩の配合量(重量)は、前記の消臭成分１に対し０.５〜２、好ましくは０.５〜１である。
【００１３】
(ｃ)界面活性剤
本発明の消臭剤にはさらに両性界面活性剤、カチオン界面活性剤、ノニオン系界面活性剤を配合するのが好ましく、ＨＬＢ１０〜１６のものが好ましい。
両性界面活性剤としては、ヤシ油脂肪酸アミドプロピルベタイン、ラウリルジメチルアミノ酢酸ベタイン、β−ラウリルアミノプロピオン酸ナトリウムなどが挙げられ、特にヤシ油脂肪酸アミドプロピルベタイン、β−ラウリルアミノプロピオン酸ナトリウムと消臭成分を併用すると、従来のアンモニア、アミン類や硫化水素メルカブタンの消臭はもとより脂肪酸に対して効果向上し消臭範囲が拡大する。
ノニオン界面活性剤としては、ポリオキシエチレンアルキルエーテル、ポリオキシエチレン脂肪酸エステル、ポリオキシエチレンヤシ油脂肪酸ソルビタンなど、特にポリオキシエチレンラウリルエーテルなどが好ましい。
【００１４】
このような界面活性剤の配合により消臭が迅速になる。消臭成分と悪臭成分の反応速度が向上すると推測される。これら界面活性剤の配合量は消臭剤全量に対して０.１〜２０重量％、好ましくは１〜６重量％である。界面活性剤の配合量がこれより少ないとその効果は充分でなく、一方これより多量に配合しても消臭効果の向上はみられない。
【００１５】
本発明の消臭剤は、日常生活で問題となる身近なアンモニアなどの塩基性臭気およびメルカプタンなどの酸性臭気もちろんのことホルマリンや硫化水素、脂肪酸類などの悪臭原因物質しても優れた吸着力、消臭効果を示す。
【００１６】
(製造法)
本発明消臭剤の調製は、前記の各成分を好ましくは精製水、エタノールなど適宜の媒体中に分散又は溶解し容易に調製できる。たとえば所定量の二価、三価のアルコール及び界面活性剤、精製水を混合し、６０〜８０℃、好ましくは６５〜７５℃に加熱し、温度を保持しつつ所定量の消臭成分を加えて攪拌し完全に溶解する。つぎに加熱を止め温度が低下したところにエチルアルコール、精製水などの溶媒を加えて成分調整を行い、常温になるまで攪拌を続ける。
【００１７】
本発明の消臭剤は粉状、液状で用いることができる。また、種々の基材に含浸、あるいは塗布して使用してもよい。たとえばシート状、糸状などの種々の形状の基材上に塗布したり、含浸させて消臭剤の表面積を増大し消臭作用の向上をはかることもできる。このような基材としては、不織布、織布や繊維状物、粒状物、紙又はゼオライト、活性炭等の多孔質物質などが単独で、または併用して用いられる。
【実施例】
【００１８】
つぎに本発明を実施例にもとづき更に具体的に説明する。実施例において配合量の単位はグラムである。
［実施例１］
後記の表１に記載の各成分を用い消臭剤を調製した。すなわち、容器(200ml)にグリセリン５ｇをとり、精製水５０mlを加えて７０℃まで加熱した。この温度を保持しつつグリセルアルデヒド二量体５ｇを加え、完全に溶解するまで攪拌した。加熱をとめ温度が４０℃まで低下したところでエチルアルコール５ｇと残りの精製水を加えて全量１００ｇとし常温になるまで攪拌を続けた。
【００１９】
［実施例２〜６、参考例１］
前記と同様に各所定量の二価、三価のアルコール、精製水及び界面活性剤を容器に採り加熱し、これに消臭成分を加えて完全に溶解した後、降温してエチルアルコール、精製水により成分調整を行い、消臭剤を得た。
(消臭テスト)
上記の消臭剤溶液１０ｇを濾紙(直径１０ｃｍ)に含浸させ、これをテスト試料としてテトラパック容器(容量３Ｌ)に入れた。この容器に悪臭成分としてアンモニア(初期濃度：１００ppm)を含む窒素ガスを封入し、経時的に内部のアンモニア濃度を測定した。同様に、硫化水素(初期濃度４０ppm)についても測定した。結果を下記の表１に示す。
【００２０】
【表１】
0005341409.tif 000006
【００２１】
［実施例８〜１８］
前記と同様に表２に記載の各所定量の成分を処理し消臭剤を調製した。また、前記の消臭テストと同様に、悪臭成分として、アンモニア、硫化水素、酢酸、ホルマリンの各々を含む窒素ガスを封入し、経時的に内部の悪臭濃度を測定した。結果を下記の表２に示す。
【００２２】
【表２】
0005341409.tif 000007
【００２３】
前記消臭成分に加えて、オキシ酸金属塩、ピルビン酸金属塩などケトカルボン酸金属塩、グリオキシル酸金属塩を配合することによって脂肪酸、ホルマリンに対する消臭性能も向上した。
近年、美容室向けのパーマ処理剤として、従来使用されているチオグリコール酸アンモニウムなどのほか、シスチアミン等の頭髪に対するカール性能に優れた処理剤が市販されている。しかしながら、シスチアミンはパーマ処理後１０日以上にわたり残留して不快臭を示す。従来の消臭剤はチオクリコール酸アンモニウムなどのパーマ処理剤には消臭効果があっても新しいパーマ処理剤であるシスチアミンの消臭には効果がなく、本発明の消臭剤により優れた消臭効果を確認することができた。
【００２４】
[実施例１９]
グリセリンアルデヒド５ｇを容器にとり、グリセリン７ｇ、エタノール３ｇ、更にヤシ油脂肪酸アミドプロピルベタイン２ｇを混合し、水を加えて全体を１００ｇとした。８０℃にて３０分間加熱して完全に溶解した後、常温にもどして消臭剤を得た。
(毛髪の消臭テスト)
つぎの工程にて消臭テストを行った。
(１)人毛０.５ｇをビーカーにとる。
(２)３％シスチアミン(塩酸塩)１０ｍｌに、４０℃にて２０分浸漬した。
(３)水洗を３分間行った後、脱水する。
(４)消臭剤２ｍｌと水８ｍｌを加え、１０分間浸漬する。
(５)水洗を３分間行った後、脱水する。
(６)２％ブロム酸ナトリウム液１０ｍｌに４０℃にて２０分間浸漬した。
(７)水洗を３分間行った後、脱水する。
(８)試料を乾燥後、官能テストに供した。
同時に比較のため、上記(４)〜(５)の工程を省いたブランクテストも行った。
【００２５】
(臭覚テスト)
測定者            Ａ        Ｂ        Ｃ        Ｄ        Ｅ  
実施例１９        −＋      −        −＋      −        −＋
ブランク          ＋        ＋        ＋        ＋        ＋
(注)
−：全く臭いなし    −＋：わずかに臭いあり    ＋−：少し臭いあり    ＋：臭い強い
【００２６】
【表３】
0005341409.tif 000008
(注)
−：全く臭いなし    −＋：わずかに臭いあり    ＋−：少し臭いあり    ＋：臭い強い
【００２７】
上記のようにシスチアミンをパーマ液処理剤として使用した場合にも優れた消臭効果を示した。また、シスチアミンをパーマ液として使用する場合は、消臭成分(グリセルアルデヒド、グリセルアルデヒドヘミアセタール、グリセルアルデヒドフルアセタール、ジオキシアセトン)をシスチアミン１重量部に対して０.５〜０.７重量部を添加することによりパーマ液のカール付与効果を失うことなく、その臭いを低減することができる。また、そのｐＨ値を変化させずにパーマ液処理剤に併用することができる。
【産業上の利用可能性】
【００２８】
本発明の消臭剤は日常生活における広範囲の臭気の除去に適する。体臭、ペット臭、タバコ臭、病院・家庭・店舗からの汚物・ごみによる臭気、その他室内に付着した強い臭いの除去など様々な分野の消臭剤として用いることができる。
特に、粉状で、また液状若しくはスプレー缶に充填してエアロゾルの状態で使用し、トイレ周辺、生ゴミなど台所周り、あるいは愛玩動物の周辺の防臭に効果を示す。さらに、消臭剤を布、不織布、紙などにコーティングして、おむつ(幼児、成人、ペット用)や体臭防止用シートとして使用することができる。さらに頭髪のパーマ処理後の残存臭の除去にも有効である。